(57)【特許請求の範囲】
【請求項１】
燃料送給システムであって、
低エネルギーガス、高エネルギーガス又は、低エネルギーガス及び高エネルギーガスの混合物を含む燃料をタービンに供給する一次マニホルド（１０６）と、
低エネルギーガスを前記タービンに供給し、前記一次マニホルド（１０６）のノズルよりも寸法の大きいノズルを有する二次マニホルド（１０８）と、
低エネルギーガス入口（１１０）、ガススプリット（１１２）、低エネルギーガス一次マニホルド出口（１１４）及び低エネルギーガス二次マニホルド出口（１１６）を備えた低エネルギーガス送給システム（１０２）と、
高エネルギーガス入口（１１８）及び、前記一次マニホルド（１０６）に結合した高エネルギーガス一次マニホルド出口（１２０）を備えた高エネルギーガス送給システム（１０４）と、
を備え、
前記ガススプリット（１１２）は、前記一次マニホルド（１０６）に低エネルギーガスの第１の部分を供給し、前記二次マニホルド（１０８）に低エネルギーガスの第２の部分を供給し、
前記低エネルギーガス一次マニホルド出口（１１４）が、前記一次マニホルド（１０６）に結合し、
前記低エネルギーガス二次マニホルド出口（１１６）が、前記二次マニホルド（１０８）に結合し、
前記一次マニホルド（１０６）からの前記混合物と、前記二次マニホルド（１０８）からの前記低エネルギーガスとを利用することにより、タービンが広範囲の負荷で作動され、
前記燃料送給システムは、高エネルギーガスを前記一次マニホルド（１０６）にのみ供給し、前記二次マニホルド（１０８）に供給しないように構成されている、システム。
【請求項２】
前記低エネルギーガス送給システム（１０２）が、前記ガススプリット（１１２）と前記低エネルギーガス一次マニホルド出口（１１４）との間に一次低エネルギーガス制御弁（１３０）をさらに含み、
前記低エネルギーガス送給システム（１０２）が、前記ガススプリット（１１２）と前記低エネルギーガス二次マニホルド出口（１１６）との間に二次低エネルギーガス制御弁（１３４）をさらに含み、
前記高エネルギーガス送給システム（１０４）が、前記高エネルギーガス入口（１１８）と前記高エネルギーガス一次マニホルド出口（１２０）との間に高エネルギーガス制御弁（１３２）をさらに含む、請求項１記載のシステム。
【請求項３】
前記低エネルギーガス送給システム（１０２）が、前記低エネルギーガス入口（１１０）と前記マニホルドスプリット（１１２）との間に低エネルギーガス停止及び圧力制御弁（１４０）をさらに含み、
前記高エネルギーガス送給システム（１０４）が、前記高エネルギーガス入口（１１８）と前記高エネルギーガス制御弁（１３２）との間に高エネルギーガス停止及び圧力制御弁（１４２）をさらに含む、請求項２記載のシステム。
【請求項４】
前記低エネルギーガス送給システム（１０２）が、前記低エネルギーガス入口（１１０）と前記低エネルギーガス停止及び圧力制御弁（１４０）との間に低エネルギーガス停止弁（１４６）をさらに含み、
前記高エネルギーガス送給システム（１０４）が、前記高エネルギーガス入口（１１８）と前記高エネルギーガス停止及び圧力制御弁（１４２）との間に高エネルギーガス停止弁（１４８）をさらに含む、請求項３記載のシステム。
【請求項５】
前記低エネルギーガス送給システム（１０２）が、前記低エネルギーガス入口（１１０）と前記一次低エネルギーガス制御弁（１３０）との間に一次低エネルギーガスパージシステム（１５０、１５２、１５４）をさらに含み、
前記低エネルギーガス送給システム（１０２）が、前記二次低エネルギーガス制御弁（１３４）と前記低エネルギーガス二次マニホルド出口（１１６）との間に二次低エネルギーガスパージシステム（１６４）をさらに含み、
前記高エネルギーガス送給システム（１０４）が、前記高エネルギーガス入口（１１８）と前記高エネルギーガス制御弁（１３２）との間に高エネルギーガスパージシステム（１５６、１５８、１６０）をさらに含む、請求項３記載のシステム。
【請求項６】
圧縮機吐出圧力入口（１７８）及び圧縮機吐出圧力出口（１８０）を備えた圧縮機吐出圧力システム（１７６）をさらに含み、
前記圧縮機吐出圧力出口（１８０）が、前記二次マニホルド（１０８）に結合している、請求項１乃至５のいずれかに記載のシステム。
【請求項７】
前記圧縮機吐出圧力システム（１７６）が、前記圧縮機吐出圧力入口（１７８）と前記圧縮機吐出圧力出口（１８０）との間に圧縮機吐出圧力弁（１８２、１８４）をさらに含む、請求項６記載のシステム。
【請求項８】
請求項１乃至７のいずれかに記載の燃料送給システムにおいて、燃料をタービンに送給する方法であって、
（ａ）低エネルギーガスを低エネルギーガス送給システム（１０２）の低エネルギーガス入口（１１０）に供給するステップと、
（ｂ）高エネルギーガスを高エネルギーガス送給システム（１０４）の高エネルギーガス入口（１１８）に供給するステップと、
（ｃ）前記低エネルギーガス送給システム（１０２）の低エネルギーガス一次マニホルド出口（１１４）から前記低エネルギーガスの第１の部分を一次マニホルド（１０６）に供給するステップと、
（ｄ）前記低エネルギーガス送給システム（１０２）の低エネルギーガス二次マニホルド出口（１１６）から前記低エネルギーガスの第２の部分を二次マニホルド（１０８）に供給するステップと、
（ｅ）前記高エネルギーガス送給システム（１０４）の高エネルギーガス一次マニホルド出口（１２０）から前記高エネルギーガスを前記一次マニホルド（１０６）に供給するステップと、
（ｆ）前記一次マニホルド（１０６）から前記高エネルギーガス及び前記低エネルギーガスの第１の部分をタービンに供給するステップと、
（ｇ）前記二次マニホルド（１０８）から前記低エネルギーガスの第２の部分を前記タービンに供給するステップと
を含む方法。
【請求項９】
前記低エネルギーガスを前記低エネルギーガス送給システム（１０２）に供給するステップの後であってかつ前記低エネルギーガスの第１の部分を前記一次マニホルド（１０６）に供給するステップの前に、該低エネルギーガスの第１の部分を一次低エネルギーガス制御弁（１３０）を通して流すステップと、
前記低エネルギーガスを前記低エネルギーガス送給システム（１０２）に供給するステップの後であってかつ前記低エネルギーガスの第２の部分を前記二次マニホルド（１０８）に供給するステップの前に、該低エネルギーガスの第２の部分を二次低エネルギーガス制御弁（１３４）を通して流すステップと、
前記高エネルギーガスを前記高エネルギーガス送給システム（１０４）に供給するステップの後であってかつ前記高エネルギーガスを前記一次マニホルド（１０６）に供給するステップの前に、該高エネルギーガスを高エネルギーガス制御弁（１３２）を通して流すステップと
をさらに含む、請求項８記載の方法。
【請求項１０】
前記低エネルギーガスを前記低エネルギーガス送給システム（１０２）に供給するステップの後であってかつ前記低エネルギーガスの第１の部分を前記一次低エネルギーガス制御弁（１３０）を通して流しかつ前記低エネルギーガスの第２の部分を前記二次低エネルギーガス制御弁（１３４）を通して流すステップの前に、該低エネルギーガスを低エネルギーガス停止及び圧力制御弁（１４０）を通して流すステップと、
前記高エネルギーガスを前記高エネルギーガス送給システム（１０４）に供給するステップの後であってかつ前記高エネルギーガスを前記高エネルギーガス制御弁（１３２）を通して流すステップの前に、該高エネルギーガスを高エネルギーガス停止及び圧力制御弁（１４２）を通して流すステップと
をさらに含む、請求項９記載の方法。
【発明の詳細な説明】
【技術分野】
【０００１】
本出願は、ガスタービン燃料システムに関し、より具体的には、２種以上の気体（ガス）燃料を単一マニホルドに送給することができるガスタービン燃料システムに関する。
【背景技術】
【０００２】
最新ガスタービンは、燃料システムの精密制御を必要とする。例えば、燃料ノズルにおける圧力低下は、燃焼器損傷を回避するために規定の範囲内に慎重に維持しなければならない。一般に、最新ガスタービンを通常の高エネルギー燃料（例えば、天然ガス）及び高水素の低エネルギー燃料（例えば、合成ガス）の両方で作動させることは困難である可能性がある。従って、望ましいものは、高エネルギー燃料、低エネルギー燃料、及び高エネルギー燃料と低エネルギー燃料の混合物に適しているとともに、それらの送給を制御することのできる「二元ガス」タービン燃料システムである。
【０００３】
そのような「二元ガス」燃料システムの設計は、燃料の特性が異なるため複雑なものとなりかねない。ガスタービンを低エネルギー燃料で作動させるには、ガスタービンを高エネルギー燃料で作動させるのよりも格段に大きな体積流量が必要とされる。さらに、低エネルギー燃料（通例ガス化プロセスから得られる）は、最大５００°Ｆ（約２６０℃）又はそれを超える温度で供給されることが多々ある。こうした特性のため、燃料温度及び体積流量の大きな変動に適応し、それら変動を制御することのできる燃料システムハードウェアが必要とされる。不都合なことに、そのようなハードウェアは大型で複雑かつ高価なものとなりかねない。
【先行技術文献】
【特許文献】
【０００４】
【特許文献１】米国特許第４９４９５３８号明細書
【発明の概要】
【発明が解決しようとする課題】
【０００５】
そこで、ハードウェアコスト、維持コスト及び据付面積を節約するため節約するため、小型で標準的かつ簡単なハードウェアを用いた「二元ガス」タービンシステムが必要とされている。
【課題を解決するための手段】
【０００６】
従って、本出願は、二元ガス燃料送給システム及び２つのガス燃料を送給する方法を提供する。本二元ガス燃料送給システムは、（ａ）低エネルギーガス入口、ガススプリット、低エネルギーガス一次マニホルド出口及び低エネルギーガス二次マニホルド出口を備えた低エネルギーガス送給システムと、（ｂ）高エネルギーガス入口及び高エネルギーガス一次マニホルド出口を備えた高エネルギーガス送給システムと、（ｃ）一次マニホルドと、（ｄ）二次マニホルドとを含むことができ、低エネルギーガス一次マニホルド出口及び高エネルギーガス一次マニホルド出口は、一次マニホルドに結合し、低エネルギーガス二次マニホルド出口は、二次マニホルドに結合している。
【０００７】
燃料をタービンに送給する本方法は、（ａ）低エネルギーガスを低エネルギーガス送給システムの低エネルギーガス入口に供給するステップと、（ｂ）高エネルギーガスを高エネルギーガス送給システムの高エネルギーガス入口に供給するステップと、（ｃ）低エネルギーガス送給システムの低エネルギーガス一次マニホルド出口から低エネルギーガスの第１の部分を一次マニホルドに供給するステップと、（ｄ）低エネルギーガス送給システムの低エネルギーガス二次マニホルド出口から低エネルギーガスの第２の部分を二次マニホルドに供給するステップと、（ｅ）高エネルギーガス送給システムの高エネルギーガス一次マニホルド出口から高エネルギーガスを一次マニホルドに供給するステップと、（ｆ）一次マニホルドから高エネルギーガス及び低エネルギーガスの第１の部分をタービンに供給するステップと、（ｇ）二次マニホルドから低エネルギーガスの第２の部分をタービンに供給するステップとを含む。
【０００８】
本出願のこれらの及びその他の特徴は、図面及び特許請求の範囲と関連させて以下の詳細な説明を精査することにより当業者には明らかになるであろう。
【図面の簡単な説明】
【０００９】
【図１】一次マニホルド二元ガス燃料システムを示す流れ図。
【発明を実施するための形態】
【００１０】
本出願は、二元ガス燃料送給システム及び幾つかのガス燃料を送給する方法を提供する。
【００１１】
Ｉ．一次マニホルド二元ガス燃料送給システム
次に図面を参照すると、図１は、一次マニホルド二元ガス燃料システム１００の構成を示している。本システム１００は、高エネルギーガス、低エネルギーガス、又は高エネルギーガスと低エネルギーガスとの混合物をタービンに送給するのに使用することができる。重要なことには、本システム１００は、高エネルギー燃料及び低エネルギー燃料の両方を送給すると同時に、高エネルギー燃料のみを単一マニホルドに流入させるのを可能にすることができる。高エネルギー燃料のみを単一マニホルドに対して送給することによって、本システム１００は、マニホルド内に蓄積するエネルギー量を減少させ、それによってタービン過剰速度の危険性を低減することができる。
【００１２】
ガス燃料（気体燃料）
本システム１００は、高エネルギーガス、低エネルギーガス、又は高エネルギーガスと低エネルギーガスとの混合物を送給することができる。高エネルギーガスは、約９００〜約１１００ＢＴＵ／ｆｔ３の範囲のエネルギー値を有することができる。低エネルギーガスは、約１２５〜約３５０ＢＴＵ／ｆｔ３の範囲のエネルギー値を有することができる。具体的な実施形態では、高エネルギーガスと低エネルギーガスとの間のエネルギー値の差異は、約５５０〜約９７５ＢＴＵ／ｆｔ３の範囲内にある。
【００１３】
送給システム
一次マニホルド二元ガス燃料送給システム１００は、低エネルギーガス送給システム１０２と、高エネルギーガス送給システム１０４と、一次マニホルド１０６と、二次マニホルド１０８とを含むことができる。二次マニホルド１０８は、一次マニホルド１０６の寸法よりも大きい寸法を有することができる。例えば、二次マニホルド１０８は、一次マニホルド１０６に比較してより大きなボリューム及び／又はノズル寸法を有することができる。一次マニホルド１０６及び二次マニホルド１０８の両方を利用することにより、低エネルギーガス、高エネルギーガス、又は高エネルギーガスと低エネルギーガスとの混合物のいずれかを使用してタービンを広範囲の負荷で作動させるのを可能にすることができる。
【００１４】
低エネルギーガス送給システム１０２は、低エネルギーガス入口１１０、ガススプリット１１２、低エネルギーガス一次マニホルド出口１１４及び低エネルギーガス二次マニホルド出口１１６を備えることができる。高エネルギーガス送給システム１０４は、高エネルギーガス入口１１８及び高エネルギーガス一次マニホルド出口１２０を備えることができる。一次マニホルド１０６は、一次マニホルド配管入口１２２及び一次マニホルドノズル出口１２４を備えることができる。二次マニホルド１０８は、二次マニホルド配管入口１２６及び二次マニホルドノズル出口１２８を備えることができる。低エネルギーガス一次マニホルド出口１１４及び高エネルギーガス一次マニホルド出口１２０は、一次マニホルド１０６に結合することができる。例えば、低エネルギーガス一次マニホルド出口１１４及び高エネルギーガス一次マニホルド出口１２０は、一次マニホルド配管入口１２２に合流させることができる。低エネルギーガス二次マニホルド出口１１６は、二次マニホルド１０８に結合することができる。例えば、低エネルギーガス二次マニホルド出口１１６は、二次マニホルド配管入口１２６に合流させることができる。
【００１５】
低エネルギーガス送給システム１０２はまた、ガススプリット１１２と低エネルギーガス一次マニホルド出口１１４との間に一次低エネルギーガス制御弁１３０を含むことができる。同様に、高エネルギーガス送給システム１０４も、高エネルギーガス入口１１８と高エネルギーガス一次マニホルド出口１２０との間に高エネルギーガス制御弁１３２を含むことができる。ガス制御弁１３０及び１３２は、一次マニホルドノズル出口１２４において正確な圧力低下が維持されるように、一次マニホルド１０６への燃料の流れを制御することができる。
【００１６】
低エネルギーガス送給システム１０２はまた、二次低エネルギーガス制御弁１３４を含むことができる。二次低エネルギーガス制御弁１３４は、ガススプリット１１２と低エネルギーガス二次マニホルド出口１１６との間に設置することができる。二次低エネルギーガス制御弁１３４は、二次マニホルドノズル出口１２８において正確な圧力低下が維持されるように、二次マニホルド１０８内の燃料の流れを制御することができる。二次低エネルギーガス制御弁１３４はまた、二次マニホルド１０８を通るガスの流れを停止させるように使用することができる。
【００１７】
低エネルギーガス送給システム１０２はまた、あらゆる数の付加的ガス制御弁を含むことができる。例えば、低エネルギーガス送給システム１０２はまた、第２の二次低エネルギーガス制御弁１３６及び第３の二次低エネルギーガス制御弁１３８を含むことができる。制御弁１３６及び１３８は、ガススプリット１１２と低エネルギーガス二次マニホルド出口１１６との間に設置することができる。３つの制御弁１３４、１３６及び１３８は、並列に作動させることができる。複数ガス制御弁を使用することにより、各制御弁をより小さい寸法のものとするのを可能にすることができ、そのことは次に、即座に入手可能なガス制御弁の使用を可能にすることができる。
【００１８】
低エネルギーガス送給システム１０２はまた、低エネルギーガス入口１１０とガススプリット１１２との間に低エネルギーガス停止及び圧力制御弁１４０を含むことができる。同様に、高エネルギーガス送給システム１０４も、高エネルギーガス入口１１８と高エネルギーガス制御弁１３２との間に高エネルギーガス停止及び圧力制御弁１４２を含むことができる。停止及び圧力制御弁１４０及び１４２は、該停止及び圧力制御弁１４０及び１４２とガス制御弁１３０、１３２及び１３４との間に一定の基準圧力が維持されるように、該ガス制御弁１３０、１３２及び１３４の上流の燃料の流れを制御することができる。ガス制御弁１３０、１３２及び１３４の直ぐ上流に一定の基準圧力の領域を維持することによって、制御弁の位置（有効面積）のみを使用して、ガス制御弁を通る流量を計算することができる。
【００１９】
低エネルギーガス送給システム１０２はまた、低エネルギーガス入口１１０と低エネルギーガス停止及び圧力制御弁１４０との間に低エネルギーガス停止弁１４６を含むことができる。同様に、高エネルギーガス送給システム１０４も、高エネルギーガス入口１１８と高エネルギーガス停止及び圧力制御弁１４２との間に高エネルギーガス停止弁１４８を含むことができる。停止弁１４６及び１４８は、それぞれ低エネルギーガス送給システム１０２及び高エネルギーガス送給システム１０４を通るガスの流れを停止させるように使用することができる。例えば、タービンが高エネルギーガスのみで作動している場合には、低エネルギーガス停止弁１４６により、低エネルギーガス送給システム１０２を通るガスの流れを停止させて、一次マニホルド１０６を通して高エネルギー燃料のみが流れることになるようにすることができる。さらに、タービンが低エネルギーガスのみで作動している場合には、高エネルギーガス制御弁１４８により、高エネルギーガス送給システム１０４を通るガスの流れを停止させて、一次マニホルド１０６を通して低エネルギー燃料のみが流れることになるようにすることができる。
【００２０】
低エネルギーガス送給システム１０２はまた、低エネルギーガス入口１１０と一次低エネルギーガス制御弁１３０との間に一次低エネルギーガスパージシステムを含むことができる。一次低エネルギーガスパージシステムは、一次低エネルギーガスパージ入口１５０、第１の一次低エネルギーガスパージ排出口１５２及び第２の一次低エネルギーガス排出口１５４を含むことができる。一次低エネルギーガスパージ入口１５０は、一次低エネルギーガス制御弁１３０と低エネルギーガス停止及び圧力制御弁１４０との間に設置することができ、第１の一次低エネルギーガスパージ排出口１５２は、一次低エネルギーガス制御弁１３０と低エネルギーガス停止及び圧力制御弁１４０との間に設置することができ、また第２の一次低エネルギーガス排出口１５４は、低エネルギーガス停止及び圧力制御弁１４０と低エネルギーガス停止弁１４６との間に設置することができる。一次低エネルギーガスパージシステムは、低エネルギーガス送給システム１０２を使用していない時における燃焼の危険性を低減するように使用することができる。例えば、一次低エネルギーガスパージ入口１５０並びに一次低エネルギーガス排出口１５２及び１５４は、低エネルギーガス停止及び圧力制御弁１４０と一次低エネルギーガス制御弁１３０との間に不活性ガス圧力バッファを形成して低エネルギーガスを一次マニホルド１０６から分離させることができる。
【００２１】
高エネルギーガス送給システム１０４も、高エネルギーガス入口１１８と高エネルギーガス出口１２０との間に高エネルギーガスパージシステムを含むことができる。高エネルギーガスパージシステムは、高エネルギーガスパージ入口１５６、第１の高エネルギーガスパージ排出口１５８及び第２の高エネルギーパージ排出口１６０を含むことができる。高エネルギーガスパージ入口１５６は、（ａ）高エネルギーガス制御弁１３２と一次マニホルドノズル出口１２４との間か又は（ｂ）低エネルギーガス制御弁１３０と一次マニホルドノズル出口１２４との間のいずれかに設置することができ、第１の高エネルギーガスパージ排出口１５８は、高エネルギーガス制御弁１３２と高エネルギーガス停止及び圧力制御弁１４２との間に設置することができ、また第２の高エネルギーガスパージ排出口１６０は、高エネルギーガス停止及び圧力制御弁１４２と高エネルギーガス停止弁１４８との間に設置することができる。高エネルギーガスパージシステムは、高エネルギーガス送給システム１０４を使用していない時における燃焼の危険性を低減するように使用することができる。例えば、高エネルギーガスパージ入口１５６並びに高エネルギーガスパージ排出口１５８及び１６０は、高エネルギーガス停止弁１４８と高エネルギーガス制御弁１３２との間に不活性ガス圧力バッファを形成して高エネルギーガスを一次マニホルド１０６から分離させることができる。
【００２２】
低エネルギーガス送給システム１０２はまた、二次低エネルギーガス制御弁１３４と低エネルギーガス二次マニホルド出口１１６との間に二次低エネルギーガスパージシステムを含むことができる。二次低エネルギーガスパージシステムは、二次低エネルギーガスパージ入口１６４を含むことができる。二次低エネルギーガスパージ入口１６４は、二次低エネルギーガス制御弁１３４と二次マニホルドノズル出口１２８との間に設置することができる。二次マニホルドパージシステムは、二次マニホルド１０８を使用していない時における燃焼の危険性を低減するように使用することができる。
【００２３】
低エネルギーガス送給システム１０２はまた、低エネルギーガス入口１１０と低エネルギーガス停止弁１４６との間に低エネルギーガスストレーナ１６８を含むことができる。同様に、高エネルギーガス送給システム１０４も、高エネルギーガス入口１１８と高エネルギーガス停止弁１４８との間に高エネルギーガスストレーナ１７０を含むことができる。ストレーナ１６８及び１７０は、燃料からデブリを濾過して一次マニホルド二元ガス燃料送給システム１００における閉塞のような問題を防止することができる。
【００２４】
低エネルギーガス送給システム１０２はまた、低エネルギーガス入口１１０と低エネルギーガス停止弁１４６との間に低エネルギーガスバイパス出口１７２を含むことができる。同様に、高エネルギーガス送給システム１０４も、高エネルギーガス入口１１８と高エネルギーガス停止弁１４８との間に高エネルギーガスバイパス出口１７４を含むことができる。バイパス出口１７２及び１７４は、凝縮の危険性軽減のためのベント又はフレア装置のようなシステムに対してガスを供給することができる。
【００２５】
一次マニホルド二元ガス燃料送給システム１００はまた、圧縮機吐出圧力システム（「ＣＰＤシステム」）１７６を含むことができる。ＣＰＤシステム１７６は、ＣＰＤ空気入口１７８及びＣＰＤ空気出口１８０を含むことができる。ＣＰＤシステム１７６は、二次マニホルド１０８に結合することができる。例えば、ＣＰＤ空気出口１８０は、二次マニホルド配管入口１２６に合流させることができる。ＣＰＤシステム１７６は、ガスの二次マニホルド１０８をパージし、二次マニホルド１０８内に正のノズル圧力比を維持しかつ／又は二次マニホルドノズル出口１２８を低温に保つように使用することができる。
【００２６】
ＣＰＤシステム１７６は、ＣＰＤ空気入口１７８とＣＰＤ空気出口１８０との間に一次ＣＰＤ弁１８２を含むことができる。ＣＰＤシステム１７６はまた、ＣＰＤ空気入口１７８と一次ＣＰＤ弁１８２との間に二次ＣＰＤ弁１８４を含むことができる。ＣＰＤ弁１８２及び１８４は、二次マニホルドノズル出口１２８において正確な圧力低下が維持されるように、二次マニホルド１０８への空気の流れを制御することができる。
【００２７】
ＣＰＤシステム１７６はまた、ＣＰＤガスパージ入口１８６及びＣＰＤガスパージ排出口１８８を含むことができる。ＣＰＤガスパージ入口１８６及びＣＰＤガスパージ排出口１８８は、二次ＣＰＤ弁１８４と一次ＣＰＤ弁１８２との間に設置することができる。ＣＰＤガスパージ入口１８６及びＣＰＤガスパージ排出口１８８は、ＣＰＤシステム１７６を使用していない時における燃焼の危険性を低減するように使用することができる。例えば、ＣＰＤガスパージ入口１８６及びＣＰＤガスパージ排出口１８８は、二次ＣＰＤ弁１８４と一次ＣＰＤ弁１８２との間に不活性ガス圧力バッファを形成して低エネルギーガスをＣＰＤ空気から分離させることができる。
【００２８】
一次マニホルド二元ガス燃料送給システム１００は、２つのガス（気体）燃料をタービンに送給するように使用することができる。低エネルギーガスは、低エネルギーガス送給システム１０２の低ガスエネルギー入口１１０に供給することができる。低エネルギーガスの第１の部分は次に、低エネルギーガス送給システム１０２の低エネルギーガス一次マニホルド出口１１４から一次マニホルド１０６の一次マニホルド配管入口１２２に供給することができ、また低エネルギーガスの第２の部分は、低エネルギーガス送給システム１０２の低エネルギーガス二次マニホルド出口１１６から二次マニホルド１０８の二次マニホルド配管入口１２６に供給することができる。高エネルギーガスは、高エネルギーガス送給システム１０４の高エネルギーガス入口１１８に供給することができる。高エネルギーガスは次に、高エネルギーガス送給システム１０４の高エネルギーガス一次マニホルド出口１２０から一次マニホルド１０６の一次マニホルド配管入口１２２に供給することができる。
【００２９】
高エネルギーガス及び低エネルギーガスの第１の部分は、一次マニホルド１０６の一次マニホルドノズル出口１２４からタービンに供給することができる。低エネルギーガスの第２の部分は、二次マニホルド１０８の二次マニホルド配管出口１２８からタービンに供給することができる。
【００３０】
２つの気体燃料をタービンに送給する本方法は、低エネルギーガスを低エネルギーガス送給システム１０２に供給するステップの後であってかつ該低エネルギーガスの第１の部分を一次マニホルド１０６に供給するステップの前に、該低エネルギーガスの第１の部分を一次低エネルギーガス制御弁１３０を通して流すステップを含むことができる。本方法はまた、低エネルギーガスを低エネルギーガス送給システム１０２に供給するステップの後であってかつ該低エネルギーガスの第２の部分を二次マニホルド１０８に供給するステップの前に、該低エネルギーガスの第２の部分を二次低エネルギーガス制御弁１３４を通して流すステップを含むことができる。さらに、本方法は、低エネルギーガスを低エネルギーガス送給システム１０２に供給するステップの後であってかつ該低エネルギーガスの第１の部分を一次低エネルギーガス制御弁１３０を通して流すステップと該低エネルギーガスの第２の部分を二次低エネルギーガス制御弁１３４を通して流すステップとの前に、該低エネルギーガスを低エネルギーガス停止及び圧力制御弁１４０を通して流すステップを含むことができる。最後に、２つの気体燃料をタービンに送給する本方法は、低エネルギーガスを低エネルギーガス送給システム１０２に供給するステップの後であってかつ該低エネルギーガスを低エネルギーガス停止及び圧力制御弁１４０を通して流すステップの前に、該低エネルギーガスを低エネルギーガス停止弁１４６を通して流すステップを含むことができる。
【００３１】
２つの気体燃料をタービンに送給する本方法は、高エネルギーガスを高エネルギーガス送給システム１０４に供給するステップの後であってかつ該高エネルギーガスを一次マニホルド１０６に供給するステップの前に、該高エネルギーガスを高エネルギーガス制御弁１３２を通して流すステップを含むことができる。本方法はまた、高エネルギーガスを高エネルギーガス送給システム１０４に供給するステップの後であってかつ該高エネルギーガスを高エネルギーガス制御弁１３２を通して流すステップの前に、該高エネルギーガスを高エネルギーガス停止及び圧力制御弁１４２を通して流すステップを含むことができる。最後に、２つの気体燃料をタービンに送給する本方法は、高エネルギーガスを高エネルギーガス送給システム１０４に供給するステップの後であってかつ該高エネルギーガスを高エネルギーガス停止及び圧力制御弁１４２を通して流すステップの前に、該高エネルギーガスを高エネルギーガス停止弁１４８を通して流すステップを含むことができる。
【００３２】
以上の説明は、本出願の好ましい実施形態のみに関するものであること及び本明細書では特許請求の範囲及びその均等物によって定まる本発明の一般的技術思想及び技術的範囲から逸脱することなく数多くの変更及び修正を加えることができることを理解されたい。
【符号の説明】
【００３３】
１００  一次マニホルド二元ガス燃料システム
１０２  低エネルギーガス送給システム
１０４  高エネルギーガス送給システム
１０６  一次マニホルド
１０８  二次マニホルド
１１０  低エネルギーガス入口
１１２  ガススプリット
１１４  低エネルギーガス一次マニホルド出口
１１６  低エネルギーガス二次マニホルド出口
１１８  高エネルギーガス入口
１２０  高エネルギーガス一次マニホルド出口
１２２  一次マニホルド配管入口
１２４  一次マニホルドノズル出口
１２６  二次マニホルド配管入口
１２８  二次マニホルドノズル出口
１３０  一次低エネルギーガス制御弁
１３２  高エネルギーガス制御弁
１３４  二次低エネルギーガス制御弁
１３６  第２の二次低エネルギーガス制御弁
１３８  第３の二次低エネルギーガス制御弁
１４０  低エネルギーガス停止及び圧力制御弁
１４２  高エネルギーガス停止及び圧力制御弁
１４６  低エネルギーガス停止弁
１４８  高エネルギーガス停止弁
１５０  一次低エネルギーガスパージ入口
１５２  第１の一次低エネルギーガスパージ排出口
１５４  第２の一次低エネルギーガス排出口
１５６  高エネルギーガスパージ入口
１５８  第１の高エネルギーガスパージ排出口
１６０  第２の高エネルギーガスパージ排出口
１６４  二次低エネルギーガスパージ入口
１６８  低エネルギーガスストレーナ
１７０  高エネルギーガスストレーナ
１７２  低エネルギーガスバイパス出口
１７４  高エネルギーガスバイパス出口
１７６  ＣＰＤシステム
１７８  ＣＰＤ空気入口
１８０  ＣＰＤ空気出口
１８２  一次ＣＰＤ弁
１８４  二次ＣＰＤ弁
１８６  ＣＰＤガスパージ入口
１８８  ＣＰＤガスパージ排出口
【図１】
0005588623.tif 000002